(57)【要約】【課題】各種衣類を良好に乾かすための洗濯情報を提示することができる洗濯情報表示システムを実現する。【解決手段】地域毎の気象情報を記憶する気象情報記憶手段（例えば気象情報管理装置３０の記憶部３２）と、所定の基準で分類された洗濯物種別毎に洗濯物の乾き易さの目安となる洗濯指数と気象情報とが対応付けられた洗濯指数参照テーブルを記憶する洗濯情報記憶手段（例えばホスト装置２０の記憶部２２）と、住宅５０の所在地に対応する地域の気象情報を気象情報記憶手段から取得する気象情報取得手段（例えばホスト装置２０の制御部２１）と、気象情報取得手段によって取得した気象情報に応じて洗濯指数参照テーブルから洗濯物種別毎の洗濯指数を取得する洗濯指数取得手段（例えばホスト装置２０の制御部２１）と、住宅５０の所在地に対応する洗濯物種別毎の洗濯指数を表示する表示手段（例えば情報表示装置１０の表示部３）と、を備える構成にした。【選択図】図１
2015014551.tif 000002
【特許請求の範囲】
【請求項１】
地域毎の気象情報を記憶する気象情報記憶手段と、
所定の基準で分類された洗濯物種別毎に、洗濯物の乾き易さの目安となる洗濯指数と気象情報とが対応付けられた洗濯指数参照テーブルを記憶する洗濯情報記憶手段と、
住宅の所在地に対応する地域の気象情報を前記気象情報記憶手段から取得する気象情報取得手段と、
前記気象情報取得手段によって取得した気象情報に応じて、前記洗濯指数参照テーブルから洗濯物種別毎の洗濯指数を取得する洗濯指数取得手段と、
住宅の所在地に対応する前記洗濯物種別毎の洗濯指数を表示する表示手段と、
を備えたことを特徴とする洗濯情報表示システム。
【請求項２】
請求項１に記載の洗濯情報表示システムにおいて、
前記気象情報記憶手段に記憶される前記気象情報は、所定時間毎に区分されており、
前記表示手段には、所定時間毎に区分して前記洗濯物種別毎の洗濯指数が表示されることを特徴とする洗濯情報表示システム。
【請求項３】
請求項１又は２に記載の洗濯情報表示システムにおいて、
前記表示手段には、前記洗濯物種別のうちユーザーによって選択された洗濯物種別の洗濯指数が表示されることを特徴とする洗濯情報表示システム。
【請求項４】
請求項１〜３の何れか一項に記載の洗濯情報表示システムにおいて、
前記表示手段には、住宅の所在地に対応する前記洗濯物種別毎の洗濯指数のうち、最も高い洗濯指数に対応する洗濯物種別の洗濯指数が表示されることを特徴とする洗濯情報表示システム。
【請求項５】
請求項１〜４の何れか一項に記載の洗濯情報表示システムにおいて、
前記住宅に、気象に関するデータを検出するセンサを備え、前記センサによって検出されたデータに基づく気象情報が前記気象情報記憶手段に記憶されることを特徴とする洗濯情報表示システム。
【請求項６】
請求項１〜５の何れか一項に記載の洗濯情報表示システムにおいて、
前記住宅の周辺に、気象に関するデータを検出するセンサを複数備え、前記複数のセンサによって検出されたデータに基づく気象情報が前記気象情報記憶手段に記憶されることを特徴とする洗濯情報表示システム。
【発明の詳細な説明】
【技術分野】
【０００１】
本発明は、洗濯情報表示システムに関する。
【背景技術】
【０００２】
従来、気温、湿度、日射量、風量などの屋外環境情報を各種センサで検出し、検出した屋外環境情報に基づき洗濯物を外に干して乾き易いかどうかの目安となる洗濯指数を算出する技術が知られている（例えば、特許文献１参照。）。
【先行技術文献】
【特許文献】
【０００３】
【特許文献１】特開２００２−３５０５５８号公報
【発明の概要】
【発明が解決しようとする課題】
【０００４】
しかしながら、上記特許文献１の場合、得られた洗濯指数を参考にして洗濯物を干しても、生地の素材や厚みなど様々な種別の衣類があるため、全ての衣類が期待したように乾かないことがあった。
【０００５】
本発明の目的は、各種衣類を良好に乾かすための洗濯情報を提示することができる洗濯情報表示システムを提供することである。
【課題を解決するための手段】
【０００６】
以上の課題を解決するため、請求項１に記載の発明は、洗濯情報表示システム１００であって、例えば図１〜図３に示すように、
地域毎の気象情報を記憶する気象情報記憶手段（例えば、気象情報管理装置３０の記憶部３２）と、
所定の基準で分類された洗濯物種別毎に、洗濯物の乾き易さの目安となる洗濯指数と気象情報とが対応付けられた洗濯指数参照テーブルを記憶する洗濯情報記憶手段（例えば、ホスト装置２０の記憶部２２）と、
住宅５０の所在地に対応する地域の気象情報を前記気象情報記憶手段から取得する気象情報取得手段（例えば、ホスト装置２０の制御部２１）と、
前記気象情報取得手段によって取得した気象情報に応じて、前記洗濯指数参照テーブルから洗濯物種別毎の洗濯指数を取得する洗濯指数取得手段（例えば、ホスト装置２０の制御部２１）と、
住宅５０の所在地に対応する前記洗濯物種別毎の洗濯指数を表示する表示手段（例えば、情報表示装置１０の表示部３）と、
を備えたことを特徴とする。
【０００７】
請求項１に記載の発明によれば、住宅５０の所在地に対応する地域の気象情報に基づき洗濯物種別毎の洗濯指数が表示部３に表示されることで、例えば、ユーザーは、比較的乾き難い厚物の「ジーンズ」の洗濯をすべきか否かを迷うことなく、洗濯を行うことができる。
そして、例えば「ジーンズ」、「シャツ」、「小物」、「布団」などに分類された洗濯物種別毎の洗濯指数を参考にしてユーザーが洗濯を行うことによって、各洗濯物が好適に乾いた仕上がりを得ることが可能になる。
【０００８】
請求項２に記載の発明は、例えば図１〜図３に示すように、
請求項１に記載の洗濯情報表示システムにおいて、
前記気象情報記憶手段（例えば、気象情報管理装置３０の記憶部３２）に記憶される前記気象情報は、所定時間毎に区分されており、
前記表示手段（例えば、情報表示装置１０の表示部３）には、所定時間毎に区分して前記洗濯物種別毎の洗濯指数が表示されることを特徴とする。
【０００９】
請求項２に記載の発明によれば、所定時間毎に区分して洗濯物種別毎の洗濯指数が表示部３に表示されることで、ユーザーは洗濯物を干すことに適した時刻を知ることができるので、例えば、午前中に洗濯を行うというスケジュールや、夜干しするタイミングで洗濯を行うというスケジュールを立てることが可能になり、ユーザーのライフスタイルに合わせた洗濯を行い易くなる。
【００１０】
請求項３に記載の発明は、例えば図１〜図３に示すように、
請求項１又は２に記載の洗濯情報表示システムにおいて、
前記表示手段（例えば、情報表示装置１０の表示部３）には、前記洗濯物種別のうちユーザーによって選択された洗濯物種別の洗濯指数が表示されることを特徴とする。
【００１１】
請求項３に記載の発明によれば、例えば、ユーザーが操作部４を操作して、ユーザーが洗濯しようとしている洗濯物種別を選択すれば、その選択された洗濯物種別の洗濯指数が表示部３に表示されるので、ユーザーはその洗濯指数を参考にして洗濯を行うことができる。
【００１２】
請求項４に記載の発明は、例えば図１〜図３に示すように、
請求項１〜３の何れか一項に記載の洗濯情報表示システムにおいて、
前記表示手段（例えば、情報表示装置１０の表示部３）には、住宅５０の所在地に対応する前記洗濯物種別毎の洗濯指数のうち、最も高い洗濯指数に対応する洗濯物種別の洗濯指数が表示されることを特徴とする。
【００１３】
請求項４に記載の発明によれば、その時点で最も高い洗濯指数に対応する洗濯物種別の洗濯指数が表示部３に表示されるので、ユーザーは洗濯指数を参考にして、そのとき洗濯することに適した洗濯物種別の洗濯を行うことが可能になる。
【００１４】
請求項５に記載の発明は、例えば図１〜図４に示すように、
請求項１〜４の何れか一項に記載の洗濯情報表示システムにおいて、
前記住宅５０に、気象に関するデータを検出するセンサ４０を備え、前記センサ４０によって検出されたデータに基づく気象情報が前記気象情報記憶手段に記憶されることを特徴とする。
【００１５】
請求項５に記載の発明によれば、住宅５０に設けられた気象センサ４０が検出した各種気象データに基づく気象情報は、住宅５０の所在地に対応する地域における実際の気象を反映したものであるので、よりリアルな気象情報として活用することができる。
【００１６】
請求項６に記載の発明は、例えば図１〜図４に示すように、
請求項１〜５の何れか一項に記載の洗濯情報表示システムにおいて、
前記住宅５０の周辺に、気象に関するデータを検出するセンサ４０を複数備え、前記複数のセンサ４０によって検出されたデータに基づく気象情報が前記気象情報記憶手段に記憶されることを特徴とする。
【００１７】
請求項６に記載の発明によれば、住宅５０やその周辺（例えば、複数の住居６０）に設けられた気象センサ４０が検出した各種気象データに基づく気象情報は、住宅５０の所在地に対応する地域における実際の気象を反映したものであるので、よりリアルな気象情報として活用することができる。また、気象センサ４０の数が多いほど、気象センサ４０か検出した気象データの信頼度が上がるので好ましい。
【発明の効果】
【００１８】
本発明によれば、各種衣類を良好に乾かすための洗濯情報を提示することができる。
【図面の簡単な説明】
【００１９】
【図１】洗濯情報表示システムを示すブロック図である。
【図２】洗濯指数参照テーブルの一例を示す説明図である。
【図３】気象情報テーブルの一例を示す説明図である。
【図４】他の実施形態の洗濯情報表示システムを示すブロック図である。
【発明を実施するための形態】
【００２０】
以下、図面を参照して、本発明に係る洗濯情報表示システムの実施形態について詳細に説明する。但し、以下に述べる実施形態には、本発明を実施するために技術的に好ましい種々の限定が付されているが、本発明の範囲を以下の実施形態及び図示例に限定するものではない。
【００２１】
図１は、洗濯情報表示システム１００のブロック図である。
洗濯情報表示システム１００は、洗濯物の乾き易さの目安となる洗濯指数を表示して、住宅５０の居住者（ユーザー）に、天候が洗濯に向いているか否かを通知するためのものである。
なお、住宅５０は、一戸建ての住宅であっても、集合住宅の一戸であってもよい。
【００２２】
洗濯情報表示システム１００は、例えば、情報表示装置１０と、ホスト装置２０と、気象情報管理装置３０等を備えている。
情報表示装置１０は住宅５０に設置されている。
ホスト装置２０は住宅５０から離れた場所、例えば、サービス提供業者の所在地、住宅メーカーの所在地等に設置されている。
気象情報管理装置３０は住宅５０から離れた場所、例えば、気象会社、気象情報サービス会社等に設置されている。
情報表示装置１０とホスト装置２０は、電気通信回線（例えば、インターネット、専用回線、電話回線等）を介して互いに通信可能である。ホスト装置２０と気象情報管理装置３０は、電気通信回線（例えば、インターネット、専用回線、電話回線等）を介して互いに通信可能である。
【００２３】
情報表示装置１０は、例えば、制御部（ＣＰＵ）１、記憶部２、表示部３、操作部４、通信ユニット、入出力インターフェース等を有する小型コンピューターである。記憶部２は、例えばＲＡＭ、ＲＯＭ、不揮発性メモリ、ハードディスクドライブである。表示部３は、例えば液晶ディスプレイ又はＥＬディスプレイである。操作部４は、例えばスイッチ、押しボタン、タッチパネルである。
情報表示装置１０に内蔵された記憶部２には、ＣＰＵにより実行される各種制御プログラム及びデータ等が格納されており、情報表示装置１０（制御部１）がそのプログラムに従って各種の処理を実行する。
また、情報表示装置１０の記憶部２には、住宅５０の所在地に対応する地域を特定するための位置情報が格納されている。
【００２４】
ホスト装置２０は、制御部（ＣＰＵ）２１、記憶部２２、通信ユニット、入出力インターフェース等を有するサーバー装置である。
ホスト装置２０に内蔵された記憶部２２（例えばＲＡＭ、ＲＯＭ、不揮発性メモリ、ハードディスクドライブ等）には、ＣＰＵにより実行される各種制御プログラム及びデータ等が格納されており、ホスト装置２０（制御部２１）がそのプログラムに従って各種の処理を実行する。
ホスト装置２０の記憶部２２には、例えば図２に示す洗濯指数参照テーブルが記憶されている。この洗濯指数参照テーブルは、所定の基準で分類された洗濯物種別毎に、洗濯物の乾き易さの目安となる洗濯指数と気象情報とを対応付けたデータテーブルである。
つまり、ホスト装置２０の記憶部２２は、洗濯指数参照テーブルを記憶する洗濯情報記憶手段として機能する。
なお、本実施形態でいう気象情報とは、洗濯物の乾き易さの要因となる「気温」、「湿度」、「風速」、「天気（日照）」の４項目を含むものである。
また、本実施形態では洗濯物を、比較的乾き難い厚物の「ジーンズ」、比較的乾き易い薄物の「シャツ」、最も乾き易い靴下などの「小物」、天日干しする「布団」の４つの洗濯物種別として分類した。
また、本実施形態では洗濯指数を、とてもよく乾く「レベル５」、よく乾く「レベル４」、乾く「レベル３」、あまり乾かない「レベル２」、乾かない「レベル１」の５段階で表すこととした。
【００２５】
具体的に、洗濯指数と気象情報とは、以下のようにして対応付けている。
例えば、気象情報の４項目毎に、洗濯物の乾き易さに関し、良い「◎」、普通「○」、悪い「△」の３条件を設定する。
「天気（日照）」については、例えば、晴れを「◎」、曇りを「○」、雨（雪）を「△」と設定した。
「気温」については、例えば、暖かいとされる温度を「◎」、過ごし易いとされる普通の温度を「○」、寒いとされる温度を「△」と設定した。
「湿度」については、例えば、カラッとして快適な状態を「◎」、普通な状態を「○」、じめっとして不快な状態を「△」と設定した。
「風速」については、例えば、木の枝が動く風があるときを「◎」、木の葉が動く風があるときを「○」、ほとんど風を感じないときを「△」と設定した。また、風が強すぎる場合、洗濯物が飛ばされてしまうおそれがあるので、洗濯物の乾き易さに関わらず「△」と設定した。
そして、例えば、図２に示すように、気象情報の「天気（日照）」、「気温」、「湿度」、「風速」が全て「◎」のとき、「ジーンズ」、「シャツ」、「小物」、「布団」にそれぞれ「レベル５」の洗濯指数を対応付けている。つまり、気象情報「天気（日照）；◎、気温；◎、湿度；◎、風速；◎」と「ジーンズの洗濯指数；レベル５」とが対応付けられ、気象情報「天気（日照）；◎、気温；◎、湿度；◎、風速；◎」と「シャツの洗濯指数；レベル５」とが対応付けられ、気象情報「天気（日照）；◎、気温；◎、湿度；◎、風速；◎」と「小物の洗濯指数；レベル５」とが対応付けられ、気象情報「天気（日照）；◎、気温；◎、湿度；◎、風速；◎」と「布団の洗濯指数；レベル５」とが対応付けられている。
また、気象情報の「天気（日照）」、「気温」、「湿度」、「風速」が全て「○」のとき、「ジーンズ」に「レベル３」の洗濯指数、「シャツ」に「レベル４」の洗濯指数、「小物」に「レベル５」の洗濯指数、「布団」に「レベル４」の洗濯指数を対応付けている。
また、気象情報の「天気（日照）」と「気温」が「○」で、「湿度」と「風速」が「△」のとき、「ジーンズ」に「レベル１」洗濯指数、「シャツ」に「レベル２」の洗濯指数、「小物」に「レベル３」の洗濯指数、「布団」に「レベル２」の洗濯指数を対応付けている。
このように、気象情報の４項目毎に「◎」「○」「△」の３条件を設定した場合、「ジーンズ」、「シャツ」、「小物」、「布団」の洗濯物種別毎に“８１”の組み合わせがあり、洗濯物種別毎の“８１”の組み合わせに、それぞれ「レベル５」から「レベル１」の洗濯指数を対応付けるようにして、洗濯物種別毎に洗濯指数と気象情報とを対応付ける。
なお、ここでは「気温」、「湿度」、「風速」に関する「◎」「○」「△」の３条件を上記したような概念で区分したが、実際には予め設定した閾値によって区分されるようになっている。例えば、気温の場合１２℃と２２℃を閾値とし、１２℃未満を「△」、１２℃以上２２℃未満を「○」、２２℃以上を「◎」と区分することができる。
【００２６】
気象情報管理装置３０は、制御部（ＣＰＵ）３１、記憶部３２、通信ユニット、入出力インターフェース等を有するサーバー装置である。
気象情報管理装置３０に内蔵された記憶部３２（例えばＲＡＭ、ＲＯＭ、不揮発性メモリ、ハードディスクドライブ等）には、ＣＰＵにより実行される各種制御プログラム及びデータ等が格納されており、気象情報管理装置３０（制御部３１）がそのプログラムに従って各種の処理を実行する。
気象情報管理装置３０の記憶部３２には、例えば図３に示す気象情報テーブルが記憶されている。この気象情報テーブルは、全国の主要な地域と、その地域に対して発表された気象情報とを対応付けたデータテーブルである。この気象情報テーブルは、気象情報管理装置３０を保有している気象会社や気象情報サービス会社によって作成されたものである。
つまり、気象情報管理装置３０の記憶部３２は、地域毎の気象情報を記憶する気象情報記憶手段として機能する。
なお、図３に示す気象情報テーブルでは、地域毎の気象情報は所定時間毎に区分されており、例えば、３時間毎の気象情報が格納されている。
また、例えば、３時間毎に気象情報は更新され、新たな気象情報に基づく気象情報テーブルが記憶部３２に格納されるようになっている。
【００２７】
次に、本実施形態の洗濯情報表示システム１００による、洗濯指数の表示処理について説明する。
【００２８】
まず、住宅５０の居住者が洗濯をするにあたって洗濯指数を確認する際、情報表示装置１０の操作部４を操作して、ホスト装置２０へ住宅５０の位置情報を送信する。
次いで、住宅５０の位置情報を受信したホスト装置２０の制御部２１は気象情報取得手段として機能し、気象情報管理装置３０の記憶部３２に格納されている気象情報テーブルから、住宅５０の所在地に対応する地域の気象情報を取得する。
次いで、ホスト装置２０の制御部２１は洗濯指数取得手段として機能し、住宅５０の所在地に対応する地域の気象情報に応じて、ホスト装置２０の記憶部２２に格納されている洗濯指数参照テーブルから、洗濯物種別毎の洗濯指数を取得する。例えば、ホスト装置２０が「天気（日照）；◎」、「気温；◎」、「湿度；◎」、「風速；◎」という気象情報を取得している場合、図２に示す洗濯指数参照テーブルから洗濯物種別毎に「ジーンズ；レベル５」、「シャツ；レベル５」、「小物；レベル５」、「布団；レベル５」という洗濯指数を取得することができる。
次いで、ホスト装置２０は、取得した洗濯物種別毎の洗濯指数を情報表示装置１０へ送信する。
そして、情報表示装置１０は受信した洗濯物種別毎の洗濯指数を表示部３に表示する。
例えば、情報表示装置１０は、ホスト装置２０へ住宅５０の位置情報を送信した日時に応じた、当日９時の洗濯情報として「ジーンズ；レベル５」、「シャツ；レベル５」、「小物；レベル５」、「布団；レベル５」という洗濯指数を表示部３に表示することができる。
このように洗濯物種別毎の洗濯指数が表示部３に表示されると、例えば、ユーザーは、比較的乾き難い厚物の「ジーンズ」の洗濯をすべきか否かを迷うことなく、洗濯を行うことができる。
【００２９】
また、情報表示装置１０は、３時間毎に区分されている気象情報に基づいて、例えば、９時から１２時では「ジーンズ；レベル５」、「シャツ；レベル５」、「小物；レベル５」、「布団；レベル５」、１２時から１５時では「ジーンズ；レベル４」、「シャツ；レベル５」、「小物；レベル５」、「布団；レベル４」、１５時から１８時では「ジーンズ；レベル４」、「シャツ；レベル４」、「小物；レベル４」、「布団；レベル３」というように、３時間毎に区分して洗濯物種別毎の洗濯指数を表示部３に表示してもよい。
このように所定時間毎に区分して洗濯物種別毎の洗濯指数が表示部３に表示されると、ユーザーは洗濯物を干すことに適した時刻を知ることができるので、例えば、午前中に洗濯を行うというスケジュールや、夜干しするタイミングで洗濯を行うというスケジュールを立てることが可能になり、ユーザーのライフスタイルに合わせた洗濯を行い易くなる。
【００３０】
また、布団の天日干しを検討しているユーザーが、情報表示装置１０の操作部４を操作して洗濯物種別の「布団」を選択している場合、情報表示装置１０は洗濯物種別のうち「布団」に関する洗濯指数のみを表示部３に表示するようにしてもよい。
このようにユーザーが洗濯しようとしている洗濯物種別を選択すれば、その所望している洗濯物種別の洗濯指数が表示部３に表示されるので、ユーザーはその洗濯指数を参考にして洗濯を行うことができる。
【００３１】
また、ユーザーによって、最も高い洗濯指数に対応する洗濯物種別の洗濯指数を表示する設定がなされている場合、情報表示装置１０は、例えば「レベル５」に対応する洗濯物種別の洗濯指数を表示部３に表示するようにしてもよい。なお、「レベル５」が無い場合には「レベル４」に対応する洗濯物種別の洗濯指数を表示部３に表示し、「レベル４」も無い場合には「レベル３」に対応する洗濯物種別の洗濯指数を表示部３に表示するようにすればよい。
このようにその時点で最も高い洗濯指数に対応する洗濯物種別の洗濯指数が表示部３に表示されると、ユーザーは洗濯指数を参考にして、そのとき洗濯することに適した洗濯物種別の洗濯を行うことが可能になる。
【００３２】
以上のように、本実施形態の洗濯情報表示システム１００によれば、「ジーンズ」、「シャツ」、「小物」、「布団」の４つに分類された洗濯物種別毎の洗濯指数を表示することができるので、ユーザーは、比較的乾き難い厚物の「ジーンズ」を洗濯する場合に応じた洗濯指数や、比較的乾き易い薄物の「シャツ」を洗濯する場合に応じた洗濯指数などを参考にして洗濯を行うことが可能になり、洗濯した衣類等を良好に乾かすことが可能になる。
つまり、本実施形態の洗濯情報表示システム１００は、各種衣類を良好に乾かすための洗濯情報を提示することができる優れた技術であるといえる。
【００３３】
なお、上記実施形態においては、ホスト装置２０の記憶部２２に洗濯指数参照テーブル（図２参照）が記憶されており、ホスト装置２０の記憶部２２が洗濯情報記憶手段として機能するとしたが、気象情報管理装置３０の記憶部３２に洗濯指数参照テーブル（図２参照）を格納し、気象情報管理装置３０の記憶部３２を洗濯情報記憶手段として機能させてもよい。
ここで、気象情報管理装置３０の記憶部３２を洗濯情報記憶手段として機能させる、洗濯情報表示システム１００の洗濯指数の表示処理について説明する。
まず、住宅５０の居住者が洗濯をするにあたって洗濯指数を確認する際、情報表示装置１０の操作部４を操作して、ホスト装置２０へ住宅５０の位置情報を送信する。
次いで、住宅５０の位置情報を受信したホスト装置２０は、その住宅５０の位置情報を気象情報管理装置３０へ送信する。
次いで、住宅５０の位置情報を受信した気象情報管理装置３０の制御部３１は気象情報取得手段として機能し、気象情報管理装置３０の記憶部３２に格納されている気象情報テーブルから、住宅５０の所在地に対応する地域の気象情報を取得する。
次いで、気象情報管理装置３０の制御部３１は洗濯指数取得手段として機能し、住宅５０の所在地に対応する地域の気象情報に応じて、気象情報管理装置３０の記憶部３２に格納されている洗濯指数参照テーブルから、洗濯物種別毎の洗濯指数を取得する。
次いで、気象情報管理装置３０は、取得した洗濯物種別毎の洗濯指数をホスト装置２０へ送信し、ホスト装置２０は、受信した洗濯物種別毎の洗濯指数を情報表示装置１０へ送信する。
そして、情報表示装置１０は受信した洗濯物種別毎の洗濯指数を表示部３に表示する。
このように、気象情報管理装置３０の記憶部３２に洗濯指数参照テーブル（図２参照）が記憶されている場合でも、情報表示装置１０の表示部３に、住宅５０の所在地に対応する洗濯物種別毎の洗濯指数を表示することができる。
【００３４】
また、情報表示装置１０の記憶部２に洗濯指数参照テーブル（図２参照）を格納し、情報表示装置１０の記憶部２を洗濯情報記憶手段として機能させてもよい。
ここで、情報表示装置１０の記憶部２を洗濯情報記憶手段として機能させる、洗濯情報表示システム１００の洗濯指数の表示処理について説明する。
まず、住宅５０の居住者が洗濯をするにあたって洗濯指数を確認する際、情報表示装置１０の操作部４を操作して、ホスト装置２０へ住宅５０の位置情報を送信する。
次いで、住宅５０の位置情報を受信したホスト装置２０の制御部２１は気象情報取得手段として機能し、気象情報管理装置３０の記憶部３２に格納されている気象情報テーブルから、住宅５０の所在地に対応する地域の気象情報を取得する。
次いで、ホスト装置２０は、住宅５０の所在地に対応する地域の気象情報を情報表示装置１０へ送信する。
次いで、住宅５０の所在地に対応する地域の気象情報を受信した情報表示装置１０の制御部１は洗濯指数取得手段として機能し、情報表示装置１０の記憶部２に格納されている洗濯指数参照テーブルから、洗濯物種別毎の洗濯指数を取得する。
そして、情報表示装置１０は取得した洗濯物種別毎の洗濯指数を表示部３に表示する。
このように、情報表示装置１０の記憶部２に洗濯指数参照テーブル（図２参照）が記憶されている場合でも、情報表示装置１０の表示部３に、住宅５０の所在地に対応する洗濯物種別毎の洗濯指数を表示することができる。
【００３５】
なお、本発明は上記実施形態に限られるものではない。
例えば、図４に示すように、ユーザーが居住する住宅５０に、気象に関するデータを検出する気象センサ４０を備え、その気象センサ４０によって検出された気象データに基づく気象情報に応じて、洗濯物種別毎の洗濯指数を表示するようにしてもよい。
【００３６】
気象センサ４０は、例えば、天気に応じて異なる日射量を検出する日照センサと、気温を検出する温度センサと、湿度を検出する湿度センサと、風速を検出する風速センサとを備えている。
この気象センサ４０は、ケーブルなどを介して住宅５０の情報表示装置１０と接続されており、気象センサ４０が検出した各種気象データは情報表示装置１０の記憶部２に一時的に記憶される。
情報表示装置１０は、所定時間ごと（例えば１時間毎）に、気象センサ４０が検出した各種気象データをホスト装置２０に送信する。また、各種気象データを受信したホスト装置２０は、その気象データを気象情報管理装置３０に送信する。
そして、各種気象データを受信した気象情報管理装置３０は、その気象データを気象情報記憶手段としての記憶部３２に格納する。なお、気象センサ４０が検出した各種気象データは、気象情報管理装置３０の制御部３１によって洗濯情報表示システム１００に適用可能なデータ（例えば気象情報テーブル）に変換した後、記憶部３２に格納することが好ましい。
【００３７】
また、住宅５０の周辺には、気象センサ４０と情報表示装置１０を備えた複数の住居６０があり、それら複数の気象センサ４０によって検出された各種気象データは、同様にホスト装置２０を介して気象情報管理装置３０に送信され、気象情報管理装置３０の記憶部３２に格納される。ここで、気象情報管理装置３０の制御部３１は、複数の気象センサ４０か検出した気象データを取りまとめる処理を施し、その地域の気象情報（気象情報テーブル）として記憶部３２に格納する。なお、気象センサ４０は、住居６０に備えられていることに限らず、公共施設や店舗などに備えられていてもよい。気象センサ４０の数が多いほど、気象センサ４０か検出した気象データの信頼度が上がるので好ましい。
【００３８】
このように、住宅５０やその周辺の複数の住居６０等に設けられた気象センサ４０が検出した各種気象データに基づく気象情報は、住宅５０の所在地に対応する地域における実際の気象を反映したものであるので、気象会社や気象情報サービス会社によって作成された気象予想に基づく気象情報（気象情報テーブル）とは違った、よりリアルな気象情報として活用することができる。
また、気象センサ４０が検出した各種気象データに基づく気象情報と、気象会社や気象情報サービス会社によって作成された気象情報とを複合させた気象情報を作成し、その新たな気象情報を活用するようにしてもよい。
【００３９】
なお、気象センサ４０が検出した各種気象データに基づく気象情報（例えば気象情報テーブル）を、気象情報管理装置３０の記憶部３２に格納することに限らず、ホスト装置２０の記憶部２２に格納するようにして、ホスト装置２０の記憶部２２を気象情報記憶手段として機能させるようにしてもよい。この場合、ホスト装置２０の制御部２１は、複数の気象センサ４０か検出した気象データを取りまとめる処理を施し、その地域の気象情報（気象情報テーブル）として記憶部２２に格納する。
ここで、ホスト装置２０の記憶部２２を気象情報記憶手段として機能させる、洗濯情報表示システム１００の洗濯指数の表示処理について説明する。
まず、住宅５０の居住者が洗濯をするにあたって洗濯指数を確認する際、情報表示装置１０の操作部４を操作して、ホスト装置２０へ住宅５０の位置情報を送信する。
次いで、住宅５０の位置情報を受信したホスト装置２０の制御部２１は気象情報取得手段として機能し、ホスト装置２０の記憶部２２に格納されている気象情報テーブルから、住宅５０の所在地に対応する地域の気象情報を取得する。
次いで、ホスト装置２０の制御部２１は洗濯指数取得手段として機能し、住宅５０の所在地に対応する地域の気象情報に応じて、ホスト装置２０の記憶部２２に格納されている洗濯指数参照テーブルから、洗濯物種別毎の洗濯指数を取得する。
次いで、ホスト装置２０は、取得した洗濯物種別毎の洗濯指数を情報表示装置１０へ送信する。
そして、情報表示装置１０は受信した洗濯物種別毎の洗濯指数を表示部３に表示する。
【００４０】
このように住宅５０やその周辺の複数の住居６０等に設けられた気象センサ４０が検出した各種気象データに基づく気象情報をホスト装置２０が管理することによれば、気象情報管理装置３０を保有している気象会社や気象情報サービス会社に頼ることなく、独自の気象情報に基づく洗濯物種別毎の洗濯指数の表示を行うことが可能になる。
【００４１】
なお、以上の実施の形態においては、情報表示装置１０の表示部３に洗濯物種別毎に洗濯指数を表示する（例えば、「ジーンズ；レベル５」、「シャツ；レベル５」、「小物；レベル５」、「布団；レベル５」）としたが、本発明はこれに限定されるものではなく、洗濯指数に関連付けたアイコンを表示することで、洗濯指数の通知を行うようにしてもよい。
また、情報表示装置１０の表示部３に洗濯物種別毎に洗濯指数を表示する際に、洗濯に関連するコメントやアドバイス（例えば、「風が強いので、洗濯物が飛ばされないように気をつけましょう」、「夕立が起こる確率が高いので、室内干しをおすすめします」など）を表示するようにしてもよい。
【００４２】
また、ホスト装置２０が設置されている場所や、気象情報管理装置３０が設置されている場所は上記実施形態に限られず、任意の場所でよい。また、ホスト装置２０と気象情報管理装置３０が同じ場所に設置されていてもよい。
【００４３】
また、洗濯物種別のうち「布団」は天日干しするものであるので、濡れた状態の洗濯物を乾かす「ジーンズ」、「シャツ」、「小物」とは異なる条件で洗濯指数を設定するようにしてもよい。例えば「布団」の洗濯指数は、他の洗濯物種別よりも「天気（日照）」の項目を重要視し、「気温」「湿度」「風速」の項目の条件は「ジーンズ」などに比べて緩和したものでよい。例えば、気象情報が「天気（日照）；◎」、「気温；△」、「湿度；△」、「風速；△」のとき、「布団」に「レベル５」の洗濯指数を対応付け、「ジーンズ」に「レベル３」の洗濯指数を対応付けるようにしてもよい。
【００４４】
また、情報表示装置１０は、スマートフォンやタブレット、携帯電話などの端末装置と通信可能であって、洗濯指数の情報を端末装置に送信することで、端末装置に洗濯物種別毎の洗濯指数を表示させるようにしてもよい。こうすることで、ユーザーは在宅中に限らず、洗濯物種別毎の洗濯指数の確認を行うことができる。
【００４５】
また、その他、具体的な細部構造等についても適宜に変更可能であることは勿論である。
【符号の説明】
【００４６】
１      制御部
２      記憶部
３      表示部
４      操作部
１０    情報表示装置
２０    ホスト装置
２１    制御部
２２    記憶部
３０    気象情報管理装置
３１    制御部
３２    記憶部
４０    気象センサ
５０    住宅
１００  洗濯情報表示システム
【図１】
2015014551.tif 000003
【図２】
2015014551.tif 000004
【図３】
2015014551.tif 000005
【図４】
2015014551.tif 000006